(57)【特許請求の範囲】
【請求項１】
光源を有する顕微鏡本体と、
前記顕微鏡本体に設けられ、可動レンズを含み前記光源からの光を観察試料に照射する複数のレンズと、前記複数のレンズの間隔を可変するよう前記可動レンズを前記光源からの光の光軸方向に駆動し前記観察試料に照射される光の照射範囲を可変可能にする光照射可動レンズ駆動手段と、を有した照明手段と、
前記顕微鏡本体に設けられ、可動レンズを含み前記観察試料からの光を観察するズーム光学系を構成する複数のレンズと、前記複数のレンズの間隔を可変するよう前記可動レンズを前記観察試料からの光の光軸方向に駆動し観察倍率を変化可能にするズーム光学系可動レンズ駆動手段と、前記ズーム光学系可動レンズ駆動手段に接続され前記ズーム光学系可動レンズ駆動手段を駆動する駆動力を発生させる駆動力発生手段と、を有したズーム鏡体と、
前記顕微鏡本体において、前記顕微鏡本体側の前記ズーム鏡体の前記ズーム光学系可動レンズ駆動手段の端部に設けられた第１のギアと、
前記照明手段の前記光照射可動レンズ駆動手段の端部に設けられた第２のギアと、
前記顕微鏡本体側の前記ズーム鏡体の前記ズーム光学系可動レンズ駆動手段の端部から前記第１のギアに入力された前記駆動力発生手段からの前記駆動力を前記顕微鏡本体側の前記照明手段の光照射可動レンズ駆動手段の端部の前記第２のギアに伝達する駆動力伝達手段と、
を備えており、
前記ズーム鏡体において前記駆動力発生手段により発生された前記駆動力によりズーム光学系可動レンズ駆動手段が前記観察倍率を変化させることに連動して前記照明手段において前記光照射可動レンズ駆動手段が駆動され前記観察試料に照射される光の照射範囲が可変される、
ことを特徴とする顕微鏡。
【請求項２】
前記駆動力伝達手段が、前記第１のギアと前記第２のギアとに懸架されたタイミングベルトである、ことを特徴とする請求項１に記載の顕微鏡。
【請求項３】
前記ズーム鏡体は前記顕微鏡本体に着脱可能であり、
前記顕微鏡本体側の前記ズーム鏡体の前記ズーム光学系可動レンズ駆動手段の前記端部と前記第１のギアとは、前記顕微鏡本体に対する前記ズーム鏡体の装着により相互に連結される連結手段を有している、
ことを特徴とする請求項１又は２に記載の顕微鏡。
【請求項４】
前記顕微鏡本体に対し前記ズーム鏡体を装着したままで前記連結手段の相互の連結を解除することが出来る連結解除手段を有する、ことを特徴とする請求項３に記載の顕微鏡。
【請求項５】
前記第１のギアの前記連結手段は前記ズーム光学系可動レンズ駆動手段の前記端部の延長線上で移動可能であり、
前記連結解除手段は、前記第１のギアの前記連結手段及び前記顕微鏡本体に前記第１のギアの前記連結手段とともに移動可能に設けられた支持具と、支持具に挿入され前記顕微鏡本体に螺装されたネジと、を含み、前記顕微鏡本体に対する前記ネジのねじ込みにより前記支持具を前記第１のギアの前記連結手段とともに移動させて、前記顕微鏡本体側の前記ズーム鏡体の前記ズーム光学系可動レンズ駆動手段の前記端部の前記連結手段に対する前記第１のギアの前記連結手段の連結解除および連結を行う、
ことを特徴とする請求項４に記載の顕微鏡。
【発明の詳細な説明】
【技術分野】
【０００１】
本発明は、ズーム変倍機構を有するズーム顕微鏡などの顕微鏡に関するものである。
【背景技術】
【０００２】
従来、生物試料の生きたままでの観察や半導体デバイス工程での検査などには、ズーム変倍機構を有するズーム顕微鏡が広く用いられている。ここで、ズーム変倍機構は、レンズ等の光学部材を、その光軸に沿って移動させることにより連続的に観察倍率を変化させることができるようになっている。
【０００３】
図７は、ズーム変倍機構を有するズーム顕微鏡の一例を示すもので、顕微鏡本体の一部を構成するベース１上に、ステージ２が設けられている。このステージ２には、観察試料３が載置されている。ベース１には、支柱４が直立して設けられている。この支柱４には、焦準部６を介してベース１上と平行になるように投光管５が設けられている。焦準部６は、不図示のピニオンとラックからなる昇降機構を介して支柱４に設けられ、焦準ダイアル６ａの操作により投光管５を支柱４に沿って上下動可能にしている。焦準部６の内部には、照明手段として照明機構７が設けられている。また、投光管５には、光源としての光源装置８が設けられ、光源装置８からの光束を投光管５内部の照明光学系５ａを介して照明機構７に導くようにしている。
【０００４】
照明機構７は、照明光学系５ａを介して導入された光束の光軸Ｌ１上に沿って固定レンズ７０１と可動レンズ７０２が配置されている。可動レンズ７０２は、レンズ保持枠７０３に保持されている。レンズ保持枠７０３には、後述する円筒溝カム７０５とともに可動レンズ駆動手段を構成するカム従節部品７０４が設けられている。カム従節部品７０４には、円筒溝カム７０５が螺装されている。円筒溝カム７０５は、光軸Ｌ１に沿って配置されるとともに、不図示の伝達歯車を介して照明ハンドル７０６に接続され、この照明ハンドル７０６を回転させることで回転し、カム従節部品７０４を介して可動レンズ７０２を光軸Ｌ１に沿って上下動させるようにしている。そして、可動レンズ７０２を透過した光束を反射ミラー７０７、７０８を介して観察試料３に照射させる。
【０００５】
一方、投光管５の先端下部には、変倍手段としてのズーム鏡体９が固定されている。このズーム鏡体９のステージ２側下端部には、対物レンズ１０が装着されている。この対物レンズ１０は、焦準部６の操作による投光管５の上下動により、観察試料３からの光の光軸、つまり観察光軸Ｌ２方向に移動し観察試料３との相対距離を変化させることで、観察試料３にピント合わせできるようになっている。ズーム鏡体９には、観察光軸Ｌ２に沿ってズーム光学系を構成する固定レンズ９０１、９０２と可動レンズ９０３，９０４が配置されている。可動レンズ９０３，９０４は、それぞれレンズ保持枠９０５，９０６に保持されている。レンズ保持枠９０５、９０６には、後述する円筒溝カム９０９とともに可動レンズ駆動手段を構成するカム従節部品９０７、９０８が設けられている。これらカム従節部品９０７、９０８には、円筒溝カム９０９が螺装されている。円筒溝カム９０９は、観察光軸Ｌ２に沿って配置されるとともに、不図示の伝達歯車を介してズームハンドル９１０に接続され、このズームハンドル９１０を回転させることで回転し、カム従節部品９０７、９０８を介して可動レンズ９０３，９０４を観察光軸Ｌ２に沿って相反方向に上下動させるようにしている。
【０００６】
投光管５の先端上部には、接眼レンズ１１を備えた鏡筒１２が設けられ、対物レンズ１０を介して集光される観察試料３の観察像を接眼レンズ１１で目視観察可能にしている。
【０００７】
このような構成において、低倍観察を行なうには、観察者は、ズームハンドル９１０を回転操作し円筒溝カム９０９を回転させて図７に示すように一方の可動レンズ９０３を上方に、他方の可動レンズ９０４を下方に移動させる。これによりズーム鏡体９は、低倍状態に設定され低倍観察が可能となる。この場合、同時に観察者は、照明ハンドル７０６を回転し円筒溝カム７０５を回転させて可動レンズ７０２を下方に移動させることで、観察試料３への照明光の照射範囲を広く設定し、観察視野全体を明るく照明させる。また、高倍観察を行なうには、観察者は、ズームハンドル９１０を回転し円筒溝カム９０９を回転させて図８に示すように一方の可動レンズ９０３を下方に、他方の可動レンズ９０４を上方に移動させる。これによりズーム鏡体９は、高倍状態に設定され高倍観察が可能となる。この場合も、観察者は、照明ハンドル７０６を回転し円筒溝カム７０５を回転させて図８に示すように可動レンズ７０２を上方に移動させることで、観察試料３への照明光をスポット状に集光して照射範囲を狭め観察視野を明るく照明させる。
【０００８】
このようなズーム顕微鏡によれば、ズームハンドル９１０の回転により低倍又は高倍の観察環境を設定できるとともに、照明ハンドル７０６の回転により低倍又は高倍の観察環境に最適な照明状態を簡単に設定することができる。
【０００９】
一方、このようなズーム変倍機構を有するズーム顕微鏡として特許文献１に開示されるようなものも知られている。
【００１０】
この場合、図９に示すようにベース１５上にステージ１６が設けられている。このステージ１６には、観察試料１７が載置されている。ベース１５には、支柱１８が直立して設けられている。この支柱１８には、不図示の焦準部を介して顕微鏡本体１９が設けられている。不図示の焦準部には、フォーカスハンドル２０が設けられ、このフォーカスハンドル２０の回転により顕微鏡本体１９全体を上下動させ、観察試料１７との相対距離を変化させることで観察試料１７にピント合わせできるようになっている。また、顕微鏡本体１９には、上述したようなズーム変倍機構（不図示）が設けられ、ズームハンドル２１の回転により不図示のレンズを移動することで高倍又は低倍の倍率設定ができるようになっている。ズームハンドル２１には、ステッピングモータ２２が設けられ、所定速度でズームハンドル２１を回転可能にしている。ステッピングモータ２２のモータ軸には、ロータリーエンコーダ２３が接続されている。ロータリーエンコーダ２３は、ズームハンドル２１の回転角を検出するもので、その回転角信号をメインコントローラ部２４に出力する。メインコントローラ部２４はズームハンドル２１の回転角信号から現在の倍率を認識し、この認識した倍率からフォーカスハンドル２０の駆動を制御することにより、倍率に最適なフォーカスの駆動速度を得るようにしている。
【特許文献１】特開２００４-２２６８８２号公報
【発明の開示】
【発明が解決しようとする課題】
【００１１】
しかしながら、図７、図８に示すズーム顕微鏡においては、照明ハンドル７０６を回転させることで単独で照明光の調整を行なうことができるが、変倍するごとに観察者が目視確認しながら照明ハンドル７０６を回転して設定倍率に最適な照明光の状態を手動操作により探し当てなくてはならないため、かかる操作の手間が増えるばかりか時間もかかってしまい観察効率が大幅に低下し、また、照明光の微妙な調整も難しいという問題があった。
【００１２】
また、図９に示すズーム顕微鏡においては、ズームハンドル２１の回転状態を電気的な信号で読み取ることにより観察倍率を簡単に認識することは可能であるが、このときの倍率に最適な照明光の制御について何ら言及していない。このため観察倍率を変更した際に最適な照明状態を得るには、新たに照明の調整機構を用意する必要があり、さらに、かかる照明の調整機構を観察倍率にも電気的に連動させるには、大掛かりな装置が必要となり、さらに高額な費用がかかるという間題があった。
【００１３】
本発明は上記事情に鑑みてなされたもので、ズーム倍率の変化に連動して最適な照明状態を簡単に得ることができるズーム変倍機構を有する顕微鏡を提供することを目的とする。
【課題を解決するための手段】
【００１４】
請求項１記載の発明に従った顕微鏡は：光源を有する顕微鏡本体と；前記顕微鏡本体に設けられ、可動レンズを含み前記光源からの光を観察試料に照射する複数のレンズと、前記複数のレンズの間隔を可変するよう前記可動レンズを前記光源からの光の光軸方向に駆動し前記観察試料に照射される光の照射範囲を可変可能にする光照射可動レンズ駆動手段と、を有した照明手段と；前記顕微鏡本体に設けられ、可動レンズを含み前記観察試料からの光を観察するズーム光学系を構成する複数のレンズと、前記複数のレンズの間隔を可変するよう前記可動レンズを前記観察試料からの光の光軸方向に駆動し観察倍率を変化可能にするズーム光学系可動レンズ駆動手段と、前記ズーム光学系可動レンズ駆動手段に接続され前記ズーム光学系可動レンズ駆動手段を駆動する駆動力を発生させる駆動力発生手段と、を有したズーム鏡体と；前記顕微鏡本体において、前記顕微鏡本体側の前記ズーム鏡体の前記ズーム光学系可動レンズ駆動手段の端部に設けられた第１のギアと；前記照明手段の前記光照射可動レンズ駆動手段の端部に設けられた第２のギアと；前記顕微鏡本体側の前記ズーム鏡体の前記ズーム光学系可動レンズ駆動手段の端部から前記第１のギアに入力された前記駆動力発生手段からの前記駆動力を前記顕微鏡本体側の前記照明手段の光照射可動レンズ駆動手段の端部の前記第２のギアに伝達する駆動力伝達手段と；を備えており、前記ズーム鏡体において前記駆動力発生手段により発生された前記駆動力によりズーム光学系可動レンズ駆動手段が前記観察倍率を変化させることに連動して前記照明手段において前記光照射可動レンズ駆動手段が駆動され前記観察試料に照射される光の照射範囲が可変される、ことを特徴としている。
【００１５】
請求項２記載の発明に従った顕微鏡は、前記駆動力伝達手段が、前記第１のギアと前記第２のギアとに懸架されたタイミングベルトである、ことを特徴としている。
請求項３記載の発明に従った顕微鏡は、前記ズーム鏡体は前記顕微鏡本体に着脱可能であり、前記顕微鏡本体側の前記ズーム鏡体の前記ズーム光学系可動レンズ駆動手段の前記端部と前記第１のギアとは、前記顕微鏡本体に対する前記ズーム鏡体の装着により相互に連結される連結手段を有している、ことを特徴としている。
【発明の効果】
【００１８】
本発明によれば、ズーム倍率の変化に連動して最適な照明状態を簡単に得ることができるズーム変倍機構を有する顕微鏡を提供できる。
【発明を実施するための最良の形態】
【００１９】
以下、本発明の実施の形態を図面に従い説明する。  
（第１の実施の形態）
図１は、本発明の第１の実施の形態にかかるズーム顕微鏡の概略構成を示すもので、図７と同一部分には、同符号を付して説明を省略する。
【００２０】
この場合、照明機構７内の円筒溝カム７０５の先端部は投光管５の中空部まで延出され、この端部にギア３１が設けられている。また、ズーム鏡体９内の円筒溝カム９０９の先端部も、投光管５の中空部まで延出され、この端部にギア３２が設けられている。これらギア３１、３２の間には、投光管５の中空部に配置された駆動力伝達手段としてのタイミングベルト３３が懸架されている。タイミングベルト３３は、ズームハンドル９１０の回転による円筒溝カム９０９の回転駆動力を照明機構７側の円筒溝カム７０５に伝達するものである。この場合、ギア３１、３２は、円筒溝カム９０９の回転に応じた低倍から高倍までの変倍に対して最適な照射範囲を設定可能な回転量を円筒溝カム７０５に伝えられるような関係になっている。これにより、ズーム鏡体９によるズーム光学系の倍率設定に連動させて照明機構７での観察試料３に対する照射範囲を可変させる調整手段が構成される。
【００２１】
その他は、図７と同様である。
【００２２】
このような構成において、低倍観察を行なうには、観察者は、ズームハンドル９１０を回転操作し円筒溝カム９０９を回転させて一方の可動レンズ９０３を上方に、他方の可動レンズ９０４を下方に移動させる。これによりズーム鏡体９は、低倍状態に設定され低倍観察が可能となる。また、このとき円筒溝カム９０９の回転は、ギア３２を介してタイミングベルト３３に伝えられ、さらにギア３１を介して円筒溝カム７０５に伝えられる。これにより、円筒溝カム７０５は回転され、可動レンズ７０２を下方に移動させるようになり、観察試料３への照明光の照射範囲が広く設定され、観察視野全体が明るく照明される。
【００２３】
一方、高倍観察を行なうには、観察者は、ズームハンドル９１０を上述と逆方向に回転操作し円筒溝カム９０９を回転させて一方の可動レンズ９０３を下方に、他方の可動レンズ９０４を上方に移動させる。これによりズーム鏡体９は、高倍状態に設定され高倍観察が可能となる。また、このとき円筒溝カム９０９の回転は、ギア３２を介してタイミングベルト３３に伝えられ、さらにギア３１を介して円筒溝カム７０５に伝えられる。これにより、円筒溝カム７０５は、上述と逆方向に回転され、可動レンズ７０２を上方に移動させるようになり、観察試料３への照明光をスポット状に集光して照射範囲を狭め観察視野が明るく照明される。
【００２４】
したがって、このようにすれば、ズーム鏡体９でのズームハンドル９１０の回転操作により設定されるズーム倍率に連動して照明機構７の可動レンズ７０２を移動させ、設定されたズーム倍率に最適な照明状態を自動的に設定できるので、ズーム倍率を変化させても常に良好な照明視野、明るさが確保された観察鏡状態を観察者に提供でき、さらに、従来の変倍するごとに観察者が照明ハンドルを手動操作して設定倍率に最適な照明光の状態を探し当てるようにしたものと比べ、操作の手間を省略できるとともに時間も大幅に短縮でき、観察効率を大幅に向上できる。また、ズームハンドル９１０の回転操作による円筒溝カム９０９の回転をタイミングベルト３３を用いて照明機構７側の円筒溝カム７０５に伝えるようにしているので、倍率状態に応じた照明光の微妙な調整も行なうことができる。さらに、ズーム鏡体９側の円筒溝カム９０９と照明機構７側の円筒溝カム７０５の間をタイミングベルト３３で連結する構成としたので、これらの構成を簡単にでき、価格的にも安価にできる。
【００２５】
なお、上述した実施の形態では、円筒溝カム９０９と円筒溝カム７０５は、ギア３２、３１の間に懸架されたタイミングベルト３３により連結するようにしたが、これら間は、例えば、ギア等のみを用いて連結することができるなど、他の回転伝達手段を採用することも可能である。
【００２６】
(第２の実施の形態)
次に、本発明の第２の実施の形態を説明する。  
図２は、本発明の第２の実施の形態にかかるズーム顕微鏡の概略構成を示すもので、第１の実施の形態と同一部分には、同符号を付して説明を省略する。
【００２７】
この場合、投光管５の先端下部に装着されるズーム鏡体９は、投光管５に対して着脱可能にしている。投光管５は、図３（ａ）に示すように先端下部にメスアリ３５が形成されている。また、ズーム鏡体９は、図４（ａ）に示すように投光管５側のメスアリ３５に対応するオスアリ３６が形成され、図２に示すように顕微鏡正面側より図示矢印Ａ方向から前記メスアリ３５に対しスライドさせて押し込むことにより、図５に示すように投光管５の先端下部に装着できるようになっている。
【００２８】
投光管５は、図３（ａ）に示すように中空部に配置される前記ギア３２に対し軸３７が連結して設けられている。この軸３７は、ズーム鏡体９内の円筒溝カム９０９の延長線上に配置されている。この軸３７の端部には、連結手段として円板状をした連結部材３８が設けられている。連結部材３８は、図３（ｂ）に示すように、端面にＵ字状の溝部３８１が形成されている。このような連結部材３８は、投光管５の先端下部に形成された切欠き部５０１より外部に露出している。
【００２９】
一方、ズーム鏡体９は、図４（ａ）に示すように円筒溝カム９０９の先端に連結手段として円板状をした連結部材３９が設けられている。連結部材３９は、図４（ｂ）に示すように、端面にＵ字状の突出部３９１が形成されている。このＵ字状の突出部３９１は、前記連結部材３８のＵ字状の溝部３８１に対しスライドさせて押し込むことにより連結可能になっている。また、このような連結部材３９は、ズーム鏡体９の投光管５下部への装着面から僅かに突出して配置されている。
【００３０】
このような構成において、ズーム鏡体９を投光管５に装着するには、顕微鏡正面側より投光管５のメスアリ３５にズーム鏡体９のオスアリ３６を一致させ、図５に示す矢印Ａ方向にズーム鏡体９をスライドさせながら押し込むようにする。このときオスアリ３６のメスアリ３５への挿入によりズーム鏡体９が投光管５に対し位置決めされるので、連結部材３９の突出部３９１と連結部材３８の溝部３８１の向きをズーム鏡体９の移動方向に揃えることで、ズーム鏡体９のスライドとともに連結部材３９の突出部３９１を連結部材３８の溝部３８１に挿入することができる。
【００３１】
これにより、図５に示すように投光管５の先端下部にズーム鏡体９が装着され、同時に、ズーム鏡体９の円筒溝カム９０９が連結部材３９、３８を介して軸３７にも連結される。そして、この状態から、ズームハンドル９１０を回転操作し円筒溝カム９０９を回転させて変倍操作すると、円筒溝カム９０９の回転は、ギア３２を介してタイミングベルト３３に伝えられ、さらにギア３１を介して円筒溝カム７０５に伝えられる。これにより、上述したと同様にしてズームの変倍量に最適な照明状態が自動的に設定される。
【００３２】
一方、ズーム鏡体９を投光管５から取外すには、連結部材３９の突出部３９１と連結部材３８の溝部３８１の向きをズーム鏡体９の移動方向に揃えたのち、ズーム鏡体９のオスアリ３６を投光管５のメスアリ３５から引き抜くようにすれば良い。
【００３３】
なお、このようにズーム鏡体９を投光管５に装着可能とすると、ズーム鏡体９で設定されるズーム倍率と照明機構７での最適な照明状態を一致させることが問題となるが、この解決策として、例えば、ズーム鏡体９において最低のズーム倍率を設定し、照明機構７側において最低ズーム倍率に対する最適な照明状態を設定した状態で、連結部材３９のＵ字状の突出部３９１と連結部材３８のＵ字状の溝部３８１の向きが揃うようにしておけば、ズーム鏡体９側の連結部材３９を連結部材３８に挿入するだけでズーム倍率と最適な照明状態を一致させることができる。
【００３４】
したがって、このようにすれば、ズーム鏡体９を投光管５に装着可能な構成としたので、組み立て時にズーム鏡体９と照明機構７の各種の調整を別々にできるようになり、これらズーム鏡体９と照明機構７を一体にして調整するものと比べ、作業し易いばかりか、細かな点の調整までを効率よく行なうことができる。また、ズーム鏡体９を必要に応じて取り外しできるので、小さな設置スペースでも容易に搬入することができるなど、据付け時の運搬にも有利である。
【００３５】
(第３の実施例)
次に、本発明の第３の実施の形態を説明する。  
図６（ａ）（ｂ）（ｃ）は、本発明の第３の実施の形態にかかるズーム顕微鏡の要部の概略構成を示すもので、第２の実施の形態と同一部分には、同符号を付して説明を省略する。
【００３６】
この場合、軸３７に取付けられた円板状の連結部材３８は、周面に沿ってスリット３８ａが設けられている。
【００３７】
投光管５には、連結解除手段としての支持金具４３が設けられている。この支持金具４３は、図６（ａ）（ｃ）に示すように先端部をＬ字状に折曲げられるとともに、Ｕ字状の切欠き部４３ａが形成されている。この切欠き部４３ａは、連結部材３８のスリット３８ａに挿入されている。また、支持金具４３は、基端部にネジ孔４３１と、このネジ孔４３１を挟んで両側に孔部４３２、４３３が形成されている。孔部４３２、４３３には、投光管５に直立して設けられたピン４１ａ、４１ｂが挿通され、また、ネジ孔４３１には、投光管５に螺装されたネジ４０が挿通されている。これにより、支持金具４３は、自重とネジ４０のねじ込み量によりピン４１ａ、４１ｂに沿って上下動され、連結部材３８を上下動させるようになる。この場合、図６（ａ）に示すようにズーム鏡体９側の連結部材３９に投光管５側の連結部材３８が連結した状態で、ネジ４０のねじ込み量を最も緩めた状態になっており、支持金具４３は自重によりピン４１ａ、４１ｂ先端に当接されている。また、ネジ４０をねじ込むと、支持金具４３は、ピン４１ａ、４１ｂに沿って上方向に移動し、図６（ｂ）に示すように連結部材３８も上方向に移動することで連結部材３９との連結が解除される。
【００３８】
このようにすれば、連結部材３９と連結部材３８が連結された状態、つまり、ズーム鏡体９の円筒溝カム９０９が連結部材３９、３８を介して軸３７に連結された状態から、図６（ｂ）に示すようにドライバ４２を使用してネジ４０をねじ込んでいくと、支持金具４３は、ピン４１ａ、４１ｂに沿って上方向に移動し、連結部材３８も上方向に移動することで連結部材３９との連結が解除される。つまり、このようにすれば投光管５にズーム鏡体９を装着した状態のままで、ネジ４０をねじ込みを調整することで連結部材３９と連結部材３８の連結を解除することができるので、ズーム鏡体９を装着したままの状態で、照明機構７での照明状態を任意に調整することが可能になる。勿論、上記と逆の操作、つまり、ネジ４０のねじ込みを緩めるように操作すれば、支持金具４３は自重によりピン４１ａ、４１ｂ先端に当接するまで下方向に移動するので、連結部材３８を再び連結部材３８に連結させることができる。
【００３９】
上述した第３の実施の形態では、連結部材３８の移動は自重による移動を想定しているが、さらに重力方向の移動をスムーズに行うために軸３７側にスプリングなどの弾性部材を組み込み、常に下向きに弾性力を作用させるように構成してもよい。
【００４０】
その他、本発明は、上記実施の形態に限定されるものでなく、実施段階では、その要旨を変更しない範囲で種々変形することが可能である。
【００４１】
さらに、上記実施の形態には、種々の段階の発明が含まれており、開示されている複数の構成要件における適宜な組み合わせにより種々の発明が抽出できる。例えば、実施の形態に示されている全構成要件から幾つかの構成要件が削除されても、発明が解決しようとする課題の欄で述べた課題を解決でき、発明の効果の欄で述べられている効果が得られる場合には、この構成要件が削除された構成が発明として抽出できる。
【図面の簡単な説明】
【００４２】
【図１】本発明の第１の実施の形態に適用されるズーム顕微鏡の概略構成を示す図。
【図２】本発明の第２の実施の形態に適用されるズーム顕微鏡の概略構成を示す図。
【図３】第２の実施の形態に用いられる投光管側の要部の概略構成を示す図。
【図４】第２の実施の形態に用いられるズーム鏡体側の要部の概略構成を示す図。
【図５】第２の実施の形態の要部の概略構成を示す図。
【図６】本発明の第３の実施の形態の要部の概略構成を示す図。
【図７】従来のズーム顕微鏡の一例の概略構成を示す図。
【図８】従来のズーム顕微鏡の一例の概略構成を示す図。
【図９】従来のズーム顕微鏡の他例の概略構成を示す図。
【符号の説明】
【００４３】
１…ベース、２…ステージ、３…観察試料
４…支柱、５…投光管
５ａ…照明光学系、５０１…切欠き部
６…焦準部、６ａ…焦準ダイアル
７…照明機構、７０１…固定レンズ
７０２…可動レンズ、７０３…レンズ保持枠
７０４…カム従節部品、７０５…円筒溝カム
７０６…照明ハンドル、７０７．７０８…反射ミラー
８…光源装置、９…ズーム鏡体
９０１．９０２…固定レンズ、９０３．９０４…可動レンズ
９０５．９０６…レンズ保持枠、９０７．９０８…カム従節部品
９０９…円筒溝カム、９１０…ズームハンドル
１０…対物レンズ、１１…接眼レンズ
１２…鏡筒、３１．３２…ギア
３３…タイミングベルト、３５…メスアリ
３６…オスアリ、３７…軸
３８、３９…連結部材、３８１…溝部
３９１…突出部、３８ａ…スリット
４３…支持金具、４３ａ…切欠き部
４３１…ネジ孔、４３２．４３３…孔部
４０…ネジ、４１ａ．４１ｂ…ピン、４２…ドライバ
【図１】
0004837349.tif 000002
【図２】
0004837349.tif 000003
【図３】
0004837349.tif 000004
【図４】
0004837349.tif 000005
【図５】
0004837349.tif 000006
【図６】
0004837349.tif 000007
【図７】
0004837349.tif 000008
【図８】
0004837349.tif 000009
【図９】
0004837349.tif 000010